(57)【要約】【課題】  スクリーン支持装置の提供。【解決手段】  逆Ｕ形断面を具え平行に延伸された長條状の二つの可動スライドフレームが、逆Ｕ形断面を具え且つ長條状のメインサポートフレーム間に進入し、可動スライドフレームとメインサポートフレームが逆Ｕ形断面の開口で相互に嵌合され、相対伸縮可能とされ、可動スライドフレームの上端にスクリーンパネルと結合されたパネル受け座が設けられ、メインサポートフレームと可動スライドフレームの結合端の二つの対応側に外端部が可動スライドフレーム底側に結合されるねじりバネが設けられ、メインサポートフレームを横向きに調整ボルトが貫通して可動スライドフレーム、メインサポートフレーム間に収容された摩擦ブロックに当接され、該摩擦ブロックが可動スライドフレームを圧迫し、ねじりバネの引っ張り弾力がスクリーンパネル重量より大きく、摩擦ブロックが可動スライドフレームに接触して摩擦力が増された。【選択図】        図４
0003106737.tif 000002
【実用新案登録請求の範囲】
【請求項１】
スクリーン支持装置において、該スクリーン支持装置は二つのメインサポートフレーム、二つの可動スライドフレーム、二つのコイル式等のねじりバネ、少なくとも一つの摩擦ブロックを具え、
該二つのメインサポートフレームは、それぞれ中空の軌道を具え、且つ少なくとも一つのメインサポートフレームの片側が開放形態の長條体状を呈し、二つのメインサポートフレームが結合されて平行並列状とされ、且つ二つのメインサポートフレームの少なくとも一方の側部にネジ孔が設けられて調整ボルトを該軌道内まで貫通させるのに供され、
該二つの可動スライドフレームは、平行並列状を呈し、その一端が可動シートに結合され、別端がスクリーンパネルに結合され、二つの可動スライドフレームの可動シートを具えた一端が二つのメインサポートフレームの軌道内に進入し、相対伸縮スライド動作を発生可能とされ、
該二つのコイル式等のねじりバネは枢軸周囲に巻装され、該枢軸が前述のメインサポートフレームの可動スライドフレームと結合された一端の二側に嵌め込まれ、該コイル式等のねじりバネの外端が可動スライドフレームの可動シートに結合され、二つのコイル式等のねじりバネが可動スライドフレームのスライドに伴い伸縮変形し、
該少なくとも一つの摩擦ブロックは、片側が開放されたメインサポートフレームと可動スライドフレームの間に収容され、且つメインサポートフレーム端部に螺設された調整ボルトに当接されて可動スライドフレームを圧迫し、該摩擦ブロックが可動スライドフレームに圧接されて摩擦力を増し、コイル式等のねじりバネの引っ張り弾力とスクリーンパネルの重量の誤差値を吸収してスクリーンパネルの使用中の突然の上昇或いは下降の高さ変化を防止することを特徴とする、スクリーン支持装置。
【請求項２】
請求項１記載のスクリーン支持装置において、二つのメインサポートフレームのいずれもが片側が開放された長條体とされたことを特徴とする、スクリーン支持装置。
【請求項３】
請求項１記載のスクリーン支持装置において、二つのメインサポートフレームそれぞれと可動スライドフレームの間に摩擦ブロックが取り付けられたことを特徴とする、スクリーン支持装置。
【請求項４】
請求項１から３のいずれかに記載のスクリーン支持装置において、摩擦ブロックの一側の中央に凹孔が設けられ、メインサポートフレームの端部の調整ボルトの進入圧接に供され、該凹孔の反対側に凹部が設けられ、該凹部の二側に突出する当接部が形成されて可動スライドフレームに当接されたことを特徴とする、スクリーン支持装置。
【請求項５】
請求項１から３のいずれかに記載のスクリーン支持装置において、メインサポートフレームと可動スライドフレームが逆Ｕ形断面を呈し、可動スライドフレームの断面の開口が外向きとされメインサポートフレームに向けられて摩擦ブロックを収容し、並びに可動スライドフレームの二側壁面が摩擦ブロックの二つの当接部の拡張変形を防止して摩擦ブロックの緊迫摩擦効果を増すことを特徴とする、スクリーン支持装置。
【請求項６】
請求項４記載のスクリーン支持装置において、メインサポートフレームと可動スライドフレームが逆Ｕ形断面を呈し、可動スライドフレームの断面の開口が外向きとされメインサポートフレームに向けられて摩擦ブロックを収容し、並びに可動スライドフレームの二側壁面が摩擦ブロックの二つの当接部の拡張変形を防止して摩擦ブロックの緊迫摩擦効果を増すことを特徴とする、スクリーン支持装置。
【請求項７】
請求項１から３のいずれかに記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置。
【請求項８】
請求項４記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置。
【請求項９】
請求項５記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置。
【請求項１０】
請求項６記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置。
【考案の詳細な説明】
【技術分野】
【０００１】
本考案は一種のスクリーン支持装置に係り、特に構造が簡単で操作に便利で且つ正確且つ安定して所定高さに位置決めできるスクリーン支持装置に関する。
【背景技術】
【０００２】
周知のスクリーン支持装置は、図１に示されるように、中空収容空間を具え且つ平行に延伸された二つのメインサポートフレーム１０の上端と底端にトップシート１２０とボトムシート１１０が接続され、別に平行に延伸された二つの可動スライドフレーム２０の二端部分にパネル受け座２２０と可動シート２１０が設けられ、可動スライドフレーム２０の可動シート２１０の一端がトップシート１２０を通り二つのメインサポートフレーム１０の間に進入し、且つ該トップシート１２０の二つの対応側にコイル式等のねじりバネ３０が枢設され、各ねじりバネ３０の外端部が可動スライドフレーム２０底端の可動シート２１０に結合され、該可動スライドフレーム２０の上端のパネル受け座２２０がスクリーンパネルと結合される。スクリーンパネル高さを調整する時に可動スライドフレーム２０が連帯動作する時、ねじりバネ３０もまた引き伸ばされて変形し弾力を発生する。理論上、該ねじりバネ３０の引っ張り力はスクリーンパネルと可動スライドフレーム２０の重量とバランスがとれ、これによりスクリーンパネルが所定の高さに位置決めされ、調整、位置決めの機能が達成される。
【０００３】
しかし実際には、このような構造においてねじりバネ３０自身の圧縮、引き伸ばしの弾力値には一定の誤差があり、正確にスクリーンパネル及び可動スライドフレーム２０の重量に合わせるのが難しい。このため組合せ後に再使用中に、突然スクリーンパネルが位置決め不能となり上昇或いは下降する状況が発生し、使用上の不便を形成した。
【考案の開示】
【考案が解決しようとする課題】
【０００４】
本考案は周知のスクリーン支持装置の欠点を改善するために提供されるものである。
即ち、本考案の主要な目的は、一種のスクリーン支持装置を提供することにあり、それは、平行に延伸された長條状の二つの可動スライドフレームが長條状の二つのメインサポートフレーム間に進入し、可動スライドフレームとメインサポートフレームが相対伸縮、スライド可能に結合され、可動スライドフレームの上端にスクリーンパネルと結合されるパネル受け座が設けられ、メインサポートフレームの一端の二つの対応側に外端部が可動スライドフレーム底側に結合されるコイル式等のねじりバネが設けられ、調整ボルトが外側より挿入されて摩擦ブロックに圧接され摩擦ブロックが可動スライドフレームに圧接され、コイル式等のねじりバネの引き伸ばし弾力によりスクリーンパネルの重量を打ち消し、並びに摩擦ブロックが可動スライドフレームに接触して発生する摩擦力が組み合わされることで、スクリーンパネルの重量がコイル式等のねじりバネの弾力にマッチしない時の、スクリーンパネルの上昇、下降の高さ変化状況を防止するよう形成されている。
【課題を解決するための手段】
【０００５】
請求項１の考案は、スクリーン支持装置において、該スクリーン支持装置は二つのメインサポートフレーム、二つの可動スライドフレーム、二つのコイル式等のねじりバネ、少なくとも一つの摩擦ブロックを具え、
該二つのメインサポートフレームは、それぞれ中空の軌道を具え、且つ少なくとも一つのメインサポートフレームの片側が開放形態の長條体状を呈し、二つのメインサポートフレームが結合されて平行並列状とされ、且つ二つのメインサポートフレームの少なくとも一方の側部にネジ孔が設けられて調整ボルトを該軌道内まで貫通させるのに供され、
該二つの可動スライドフレームは、平行並列状を呈し、その一端が可動シートに結合され、別端がスクリーンパネルに結合され、二つの可動スライドフレームの可動シートを具えた一端が二つのメインサポートフレームの軌道内に進入し、相対伸縮スライド動作を発生可能とされ、
該二つのコイル式等のねじりバネは枢軸周囲に巻装され、該枢軸が前述のメインサポートフレームの可動スライドフレームと結合された一端の二側に嵌め込まれ、該コイル式等のねじりバネの外端が可動スライドフレームの可動シートに結合され、二つのコイル式等のねじりバネが可動スライドフレームのスライドに伴い伸縮変形し、
該少なくとも一つの摩擦ブロックは、片側が開放されたメインサポートフレームと可動スライドフレームの間に収容され、且つメインサポートフレーム端部に螺設された調整ボルトに当接されて可動スライドフレームを圧迫し、該摩擦ブロックが可動スライドフレームに圧接されて摩擦力を増し、コイル式等のねじりバネの引っ張り弾力とスクリーンパネルの重量の誤差値を吸収してスクリーンパネルの使用中の突然の上昇或いは下降の高さ変化を防止することを特徴とする、スクリーン支持装置としている。
請求項２の考案は、請求項１記載のスクリーン支持装置において、二つのメインサポートフレームのいずれもが片側が開放された長條体とされたことを特徴とする、スクリーン支持装置としている。
請求項３の考案は、請求項１記載のスクリーン支持装置において、二つのメインサポートフレームそれぞれと可動スライドフレームの間に摩擦ブロックが取り付けられたことを特徴とする、スクリーン支持装置としている。
請求項４の考案は、請求項１から３のいずれかに記載のスクリーン支持装置において、摩擦ブロックの一側の中央に凹孔が設けられ、メインサポートフレームの端部の調整ボルトの進入圧接に供され、該凹孔の反対側に凹部が設けられ、該凹部の二側に突出する当接部が形成されて可動スライドフレームに当接されたことを特徴とする、スクリーン支持装置としている。
請求項５の考案は、請求項１から３のいずれかに記載のスクリーン支持装置において、メインサポートフレームと可動スライドフレームが逆Ｕ形断面を呈し、可動スライドフレームの断面の開口が外向きとされメインサポートフレームに向けられて摩擦ブロックを収容し、並びに可動スライドフレームの二側壁面が摩擦ブロックの二つの当接部の拡張変形を防止して摩擦ブロックの緊迫摩擦効果を増すことを特徴とする、スクリーン支持装置としている。
請求項６の考案は、請求項４記載のスクリーン支持装置において、メインサポートフレームと可動スライドフレームが逆Ｕ形断面を呈し、可動スライドフレームの断面の開口が外向きとされメインサポートフレームに向けられて摩擦ブロックを収容し、並びに可動スライドフレームの二側壁面が摩擦ブロックの二つの当接部の拡張変形を防止して摩擦ブロックの緊迫摩擦効果を増すことを特徴とする、スクリーン支持装置としている。
請求項７の考案は、請求項１から３のいずれかに記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置としている。
請求項８の考案は、請求項４記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置としている。
請求項９の考案は、請求項５記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置としている。
請求項１０の考案は、請求項６記載のスクリーン支持装置において、二つの可動スライドフレームのメインサポートフレームに進入する一端に両側に複数のビーズを具えたスライドブロックが結合され、該スライドブロックがビーズでメインサポートフレームの軌道内をスライドし、可動スライドフレームがメインサポートフレーム内で順調に伸縮スライドすることを特徴とする、スクリーン支持装置としている。
【考案の効果】
【０００６】
本考案は、逆Ｕ形断面を具え平行に延伸された長條状の二つの可動スライドフレームが、逆Ｕ形断面を具え且つ長條状のメインサポートフレーム間に進入し、可動スライドフレームとメインサポートフレームが逆Ｕ形断面の開口で相互に嵌合され、相対伸縮可能とされ、可動スライドフレームの上端にスクリーンパネルと結合されたパネル受け座が設けられ、メインサポートフレームと可動スライドフレームの結合端の二つの対応側に外端部が可動スライドフレーム底側に結合されるコイル式等のねじりバネが設けられ、且つメインサポートフレームを横向きに調整ボルトが貫通して可動スライドフレーム、メインサポートフレーム間に収容された摩擦ブロックに当接して該摩擦ブロックに可動スライドフレームを圧迫させ、コイル式等のねじりバネの引っ張り弾力がスクリーンパネル重量より大きく、摩擦ブロックが可動スライドフレームに接触して摩擦力が増され、スクリーンパネル重量がコイル式等のねじりバネの弾力にマッチしない時のスクリーンパネルの支持中の突然の昇降を防止する。
【考案を実施するための最良の形態】
【０００７】
図２は本考案の構造分解図であり、図３は全体組合せ表示図である。本考案はメインサポートフレーム１、可動スライドフレーム２、コイル式等のねじりバネ３及び摩擦ブロック４を具え、二つのメインサポートフレーム１は逆Ｕ形断面を呈し、その一側面の二つの側壁が折り曲げられて軌道１３が形成され、二つのメインサポートフレーム１は軌道１３が対向するよう配置され、二つのメインサポートフレーム１の上端、下端周囲にトップシート１２とボトムシート１１が嵌合され、該トップシート１２の中央に開放された貫通孔１２１が設けられ、且つメインサポートフレーム１の上端と結合される部分の二側に位置決め凹孔１２３が設けられ、また該二つのメインサポートフレーム１の上端の側部にネジ孔１４が外側より軌道１３を貫通するよう設けられている。二つの可動スライドフレーム２も逆Ｕ形断面を呈し、その一側に二つの側壁が折り曲げられてなる逆Ｕ形の軌道２４が形成され、二つの可動スライドフレーム２の底端に、両側に複数のビーズ２３２を具えたスライドブロック２３が結合され、二つの可動スライドフレーム２が軌道２４が外向きとなるようにして配置される。二つの可動スライドフレーム２の間の上端と底端にパネル受け座２２、可動シート２１が結合され、該パネル受け座２２はスクリーンパネル５との結合に供され、また、可動シート２１を具えた一端がトップシート１２を貫通して二つのメインサポートフレーム１の間に進入し、該スライドブロック２３を利用してメインサポートフレーム１の軌道１３内に進入し、ビーズ２３２で軌道１３の二側壁面に当接され、可動スライドフレーム２とメインサポートフレーム１が相対する伸縮スライド動作を発生可能とされている。コイル式等のねじりバネ３は枢軸３１に巻装され、該枢軸３１は前述のトップシート１２の位置決め凹孔１２３内に嵌め込まれ、並びに該コイル式等のねじりバネ３の外端が可動シート２１の二側に結合され、二つのコイル式等のねじりバネ３は可動スライドフレーム２の圧縮スライドに伴い引き伸ばされ変形する。摩擦ブロック４は軟質で且つ適当な摩擦係数を具えた材料で形成され、一側に凹部４１を具え、該凹部４１の両側に当接部４２が形成され、凹部４１と反対側の中央に凹孔４３が設けられ、摩擦ブロック４は凹部４１の一側が可動スライドフレーム２の逆Ｕ形の軌道２４に向くようにしてメインサポートフレーム１の軌道１３内に進入させられ、調整ボルト１４１がネジ孔１４にねじ込まれて摩擦ブロック４の凹孔４３内に進入し、摩擦ブロック４がメインサポートフレーム１の軌道１３内の上方に位置決めされる。
【０００８】
図４は本考案の摩擦ブロックとメインサポートフレーム、可動スライドフレームの関係部分の断面図である。図示されるように、摩擦ブロック４は調整ボルト１４１によりメインサポートフレーム１のネジ孔１４部分に位置決めされ、それは並びに二つの当接部４２で可動スライドフレーム２の逆Ｕ形の軌道２４の内面に接触し、摩擦を発生して可動スライドフレーム２のスライドを阻止する。
【０００９】
図５は本考案の摩擦ブロックが可動スライドフレームを緊迫する動作表示図である。図６は本考案とスクリーンパネル結合後の実施例図である。本考案を実施する時、スクリーンパネル５とパネル受け座２２が結合され、並びにボトムシート１１外周にベース５１が嵌合され、その支持面積が増される。使用者が必要によりスクリーンパネル５の高さを調整する時は、コイル式等のねじりバネ３の引っ張り弾力を利用してスクリーンパネル５の重量を打ち消し、更に摩擦ブロック４の二つの当接部４２が可動スライドフレーム２に接触することで摩擦力が増されることにより、スクリーンパネル５の重量がコイル式等のねじりバネ３の弾力とマッチしない時でも、有効にスクリーンパネル５の上昇或いは下降の高さ変化を防止でき、消費者の使用習慣を確保できる。スクリーンパネル５の昇降スライドがきつ過ぎる場合、或いはスクリーンパネル５の高さの位置決めが不確実である（昇降のスライドを発生する）時は、調整ボルト１４１を回して摩擦ブロック４の当接部４２の可動スライドフレーム２に対する圧力を改変して上述の欠点を解決する。
【００１０】
以上から分かるように、本考案のスクリーン支持装置はその機能が改善され、産業上の利用価値、新規性及び進歩性を有する。
【図面の簡単な説明】
【００１１】
【図１】周知のスクリーン支持装置の構造表示図である。
【図２】本考案の構造分解図である。
【図３】本考案の全体組合せ表示図である。
【図４】本考案の摩擦ブロックとメインサポートフレーム、可動スライドフレームの関係部分の断面図である。
【図５】本考案の摩擦ブロックが可動スライドフレームを緊迫する動作表示図である。
【図６】本考案とスクリーンパネル結合後の実施例図である。
【符号の説明】
【００１２】
１、１０  メインサポートフレーム
１１、１１０  ボトムシート
１２、１２０  トップシート
１２１  貫通孔
１２３  位置決め凹孔
１３  軌道
１４  ネジ孔
１４１  調整ボルト
２、２０  可動スライドフレーム
２２、２２０  パネル受け座
２３  スライドブロック
２４  軌道
２３２  ビーズ
３、３０  コイル式等のねじりバネ
３１  枢軸
４  摩擦ブロック
４１  凹部
４２  当接部
４３  凹孔
５  スクリーンパネル
５１  ベース
【図１】
0003106737.tif 000003
【図２】
0003106737.tif 000004
【図３】
0003106737.tif 000005
【図４】
0003106737.tif 000006
【図５】
0003106737.tif 000007
【図６】
0003106737.tif 000008